(57)【特許請求の範囲】
【請求項１】
食器本体（２）と食器本体（２）を載置するスタンド（３）とを別体に備え、食器本体（２）は凹状に湾曲形成され、食器本体（２）の下面側に下面の略全体を球面状に形成してなる載置面（１０）が具備され、
スタンド（３）は平面視で中央部に開口孔を有するリング状であって外周脚壁（１３）と内周脚壁（１４）とこれらの上端部間を連結する支承壁（１５）とを有し、支承壁（１５）の上面が食器本体（２）を受けるリング状の支承面（１７）とされ、前記開口孔から食器本体（２）の下面中央部が支承面（１７）よりも下方に突出しかつ食器本体（２）が前後左右に傾斜調整自在としてスタンド（３）に載置されるように、前記リング状の支承面（１７）は、開口孔に向けて下方傾斜すべく支承壁（１５）の上面の略全体を載置面（１０）に対応する球面状に形成してなることを特徴とするペット用食器。
【請求項２】
食器本体（２）の下側中央部の前寄りの内面に凹面状に没入したフード溜まり（６）が設けられ、
食器本体（２）の後部の内面であってフード溜まり（６）の後方が、球面よりも左右方向の内方に向けて急傾斜で下降するように左右幅が短くなった卵形の湾曲面（８）とされていることを特徴とする請求項１に記載のペット用食器。
【請求項３】
スタンド（３）は柔らかくて大きな摩擦抵抗を有するような樹脂材又はゴム材により構成されていることを特徴とする請求項１又は２に記載のペット用食器。
【請求項４】
食器本体（２）がスタンド（３）に後上がりに傾斜して載置されるように支承面（１７）の後部が前部よりも高い位置に配置されていることを特徴とする請求項１〜３のいずれか１項に記載のペット用食器。
【発明の詳細な説明】
【技術分野】
【０００１】
本発明は、ペットの給餌に使用されるペット用食器に関するものである。
【背景技術】
【０００２】
従来、犬や猫等のペットの給餌に使用されるペット用食器には、凹状に湾曲する食器本体と食器本体を載置するスタンドとを別体に備え、食器本体とスタンドとを別々に洗えるようにしたものがある（例えば引用文献１）。
【先行技術文献】
【特許文献】
【０００３】
【特許文献１】実用新案登録第３１６６０６６号公報
【特許文献２】特開２００４−２５４５６３号公報
【発明の概要】
【発明が解決しようとする課題】
【０００４】
しかし、従来の場合、スタンドに対して食器本体の傾斜角度を調整して載置することができないため、ペットの大きさや種類によっては食器本体に収納したフードが給餌しにくくなったりするという問題があった。
本発明は上記問題点に鑑み、スタンドに対して食器本体の傾斜角度を調整して載置することができるようにしたペット用食器を提供することを目的としている。
【課題を解決するための手段】
【０００５】
本発明における課題解決のための具体的手段は、次の通りである。
この技術的課題を解決する本発明の技術的手段は、食器本体２と食器本体２を載置するスタンド３とを別体に備え、食器本体２は凹状に湾曲形成され、食器本体２の下面側に下面の略全体を球面状に形成してなる載置面１０が具備され、
スタンド３は平面視で中央部に開口孔を有するリング状であって外周脚壁１３と内周脚壁１４とこれらの上端部間を連結する支承壁１５とを有し、支承壁１５の上面が食器本体２を受けるリング状の支承面１７とされ、前記開口孔から食器本体２の下面中央部が支承面１７よりも下方に突出しかつ食器本体２が前後左右に傾斜調整自在としてスタンド３に載置されるように、前記リング状の支承面１７は、開口孔に向けて下方傾斜すべく支承壁１５の上面の略全体を載置面１０に対応する球面状に形成してなる点にある。
【０００６】
また、本発明の他の技術的手段は、食器本体２の下側中央部の前寄りの内面に凹面状に没入したフード溜まり６が設けられ、
食器本体２の後部の内面であってフード溜まり６の後方が、球面よりも左右方向の内方に向けて急傾斜で下降するように左右幅が短くなった卵形の湾曲面８とされている点にある。
【０００７】
また、本発明の他の技術的手段は、スタンド３は柔らかくて大きな摩擦抵抗を有するような樹脂材又はゴム材により構成されている点にある。
また、本発明の他の技術的手段は、食器本体２がスタンド３に後上がりに傾斜して載置されるように支承面１７の後部が前部よりも高い位置に配置されている点にある。
【発明の効果】
【０００８】
本発明によれば、ペットの大きさや種類に応じて食器本体の傾斜角度を簡単に変更することができ、ペットの大きさや種類に拘わらず食器本体内に収納したフードを良好かつ心地よく給餌することが可能になる。
【図面の簡単な説明】
【０００９】
【図１】本発明の一実施形態を示すペット用食器の正面図である。
【図２】同ペット用食器の平面図である。
【図３】同図２のＡ−Ａ線断面図である。
【図４】同図２のＢ−Ｂ線断面図である。
【発明を実施するための形態】
【００１０】
以下、本発明の実施の形態を図面に基づいて説明する。
図１〜図４は本発明の一実施形態を示している。図１〜図４において、犬や猫等のペットの給餌に使用されるペット用食器１は、凹状に湾曲する食器本体２と食器本体２を載置するスタンド３とを別体に備える。
食器本体２は上端開口２ａを有する椀形状であり、重量を増大させてスタンド３に安定に載置されるようにポリプロピレン等の合成樹脂に炭酸カルシウムを混合した材料で構成され、洗いやすく割れにくい上品な質感に仕上げられている。
【００１１】
食器本体２の内面（上面）は全体的に略球面形状に下方に没入しており、下側中央部のやや前寄りの内面に凹面状に没入したフード溜まり６が設けられ、食器本体２の後部の内面が、球面よりも左右方向の内方に向けて急傾斜で下降するように左右幅が短くなった卵形の湾曲面８とされている。
食器本体２の外面（下面）は球面状の載置面１０とされている。従って、食器本体２の下面側に球面状の載置面１０が具備されており、載置面１０は、食器本体２の下面の略全体を球面状に形成してなる。
【００１２】
食器本体２の厚みは５ｍｍ〜９ｍｍ程度で比較的分厚く形成され、フード溜まり６に対応する部分の厚みは、食器本体２の内面が凹面状に下方に没入していることによって４．５ｍｍ程度に薄く形成されている。
スタンド３は柔らかくて弾力性があって大きな摩擦抵抗を有するようにスチレン系のエラストマー樹脂により構成されている。
【００１３】
スタンド３は平面視リング状であって外周脚壁１３と内周脚壁１４とこれらの上端部間を連結する支承壁１５とを断面コの字状に有し、支承壁１５の上面が食器本体２を載置する支承面１７とされている。
外周脚壁１３はその前端から後端に向かうに従って徐々に高くなり、内周脚壁１４もその前端から後端に向かうに従って徐々に高くなっており、このためスタンド３の支承面１７の後部が前部よりも高い位置に配置され、これにより食器本体２がスタンド３に後上がりに傾斜して載置されるようになっている。
【００１４】
スタンド３の支承面１７は、平面視リング状であって食器本体２の載置面１０に対応する球面状に湾曲形成されており、スタンド３上に食器本体２が載置面１０と支承面１７とを介して（重合させて）傾斜角度調整自在に載置可能とされている。
従って、スタンド３の上面側に、前記載置面１０を介して食器本体２を傾斜角度調整自在に受ける支承面１７が具備されており、支承面１７は、スタンド３の上面の略全体を載置面１０に対応する球面状に形成してなる。
【００１５】
上記実施形態によれば、犬や猫等のペットに給餌させる場合、フードを収納した食器本体２をスタンド３上に載置面１０と支承面１７とを介して（重合させて）載置すれば、食器本体２がスタンド３に後上がりに傾斜した状態に安定に載置される。このとき、図３に２点鎖線又は１点鎖線で示すように、食器本体２をスタンド３に対して載置面１０の傾斜に沿って前後方向にずらすことにより、食器本体２の後上がりの傾斜角度を自在に調整変更することができる。
【００１６】
また、場合によっては、図４に２点鎖線又は１点鎖線で示すように、食器本体２をスタンド３に対して載置面１０の傾斜に沿って左右方向にずらすことにより、食器本体２の左上がり又は右上がりの傾斜角度を自在に調整変更することができ、これによりペットが左右方向の一方側から食器本体２内のフードを容易に給餌することができるようになる。
従って、３６０度のいずれの方向についても、スタンド３に対して食器本体２をその傾斜角度を任意に調整して載置することができ、ペットの大きさや種類に応じて食器本体２の傾斜角度を簡単に変更して、ペットの大きさや種類に拘わらず食器本体２内に収納したフードを良好かつ心地よく給餌することが可能になる。例えば、食器本体２の後上がりの傾斜角度を大きくした状態からペットが成長して大きくなるに従って食器本体２の後上がりの傾斜角度を小さくすることによって、ペットの大きさに応じて食器本体２の傾斜角度を細かく調整して、ペットが食器本体２内のフードを常に給餌し易くなすことができる。
【００１７】
また、食器本体２をスタンド３から簡単に外して食器本体２のみを洗うことができる。
さらに、食器本体２は球面状の載置面１０とこれに対応する球面状の支承面１７とを介してスタンド３に載置されるため、球面状の載置面１０とこれに対応する球面状の支承面１７との重合によって、食器本体２をスタンド３上に安定に載置することができる。しかも、スタンド３はスチレン系のエラストマー樹脂により構成されて柔らかくて弾力性があって大きな摩擦抵抗を有し、食器本体２はポリプロピレン等の合成樹脂に炭酸カルシウムを混合した材料で構成されてその重量を増大させており、スタンド３に対する食器本体２の大きな摩擦抵抗と、食器本体２の重量によって、食器本体２はスタンド３に安定に載置することができてスタンド３で食器本体２をしっかり受け止めてずれるのを防ぐことができ、ペットが給餌する際にスタンド３に対して食器本体２が滑ってガタ付いたりすることがなくなる。
【００１８】
また、食器本体２の下側中央部の前寄りの上面に凹面状に没入したフード溜まり６があるので、食器本体２内の食べやすい位置であるフード溜まり６にフードが集まるため、ペットが食器本体２内のフードをより食べ易くなる。
また、食器本体２の後部の上面が、球面よりも左右方向の内方に向けて急傾斜で下降するように左右幅が短くなった卵形の湾曲面８とされているので、犬等のペットが鼻で食器本体２内のフードを図２に矢印ａで示す如く食器本体２の後部側に押しても、フードは図２に矢印ｂで示す如く左右に大きく広がることなくフード溜まり６側に戻るため、この点からもペットがフードを給餌し易くなる。
【００１９】
なお、前記実施形態では、スタンド３を柔らかくて大きな摩擦抵抗を有するようにスチレン系のエラストマー樹脂により構成しているが、これに代え、スタンド３を、柔らかくて大きな摩擦抵抗を有するポリエステル系のエラストマー樹脂やシリコン樹脂又はゴム材により構成するようにしてもよい。
また、スタンド３の略全体をポリプロピレン等の合成樹脂により形成し、スタンド３の支承面１７に対応する部分のみをエラストマー樹脂又はゴム材により構成するようにしてもよい。
【００２０】
また、炭酸カルシウムを混合することなく食器本体２をポリプロピレン等の合成樹脂のみにより構成し、食器本体２の厚みをより分厚く形成することにより食器本体２の重量を増大させるようにしてもよい。さらに、食器本体２を重量を増大させてスタンド３に安定に載置されるように陶器により構成するようにしてもよい。
また、前記実施形態では、凹面状に没入したフード溜まり６が食器本体２の下側中央部のやや前寄りの内面に設けられているが、これに代え、凹面状に没入したフード溜まり６を、例えば食器本体２の下側中央部のやや後寄りの内面に設けるようにしてもよい。
【００２１】
また、前記実施形態では、食器本体２の外面（下面）は球面状の載置面１０とされていて、載置面１０は食器本体２の下面の略全体を球面状に形成してなるが、これに代え、食器本体２の外面（下面）の一部のみを球面状の載置面１０とするようにしてもよい。例えば、食器本体２の外面の外周部を残した中央部側のみを球面状の載置面１０とするようにしてもよい。
【００２２】
また、前記実施形態では、支承壁１５の上面が食器本体２を載置する支承面１７とされ、支承面１７は、スタンド３の上面の略全体を載置面１０に対応する球面状に形成してなるが、これに代え、スタンド３の上面の一部のみを球面状の支承面１７とするようにしてもよい。例えば、スタンド３の上面の前後左右の４カ所に上方に突出した支承面１７を形成するようにしてもよい。
【符号の説明】
【００２３】
１      ペット用食器
２      食器本体
３      スタンド
６      フード溜まり
８      湾曲面
１０    載置面
１３    外周脚壁
１４    内周脚壁
１５    支承壁
１７    支承面
【図１】
0005883335.tif 000002
【図２】
0005883335.tif 000003
【図３】
0005883335.tif 000004
【図４】
0005883335.tif 000005